(57)【特許請求の範囲】
【請求項１】
無線ローカルエリアネットワーク（ＷＬＡＮ）ディスカバリーのための方法であって、
要求局（ＳＴＡ）によって応答ＳＴＡの基本サービスセット（ＢＳＳ）識別子（ＢＳＳＩＤ）を検出することと、
前記要求ＳＴＡによって、アクセスネットワーククエリープロトコル（ＡＮＱＰ）要求とプリアソシエーションメッセージ交換ＢＳＳ識別子（ＢＳＳＩＤ）独立（ＰＡＭＥ−ＢＩ）ビットとを含む包括的アドバタイズメントサービス（ＧＡＳ）要求とを生成することとを備え、ＡＮＱＰ要求は、前記ＢＳＳＩＤを搬送し、かつ前記応答ＳＴＡの従属ＢＳＳパラメータを問合せるように構成され、前記ＡＮＱＰ要求が前記従属ＢＳＳパラメータに加えて独立ＢＳＳパラメータを問合せていれば、前記ＰＡＭＥ−ＢＩビットは第１の値に設定され、さらに、
前記要求ＳＴＡによって、前記応答ＳＴＡに前記ＧＡＳ要求を送ることとを備える、方法。
【請求項２】
前記ＡＮＱＰ要求が前記独立ＢＳＳパラメータを問合せることなく前記従属ＢＳＳパラメータを問合せていれば、前記ＰＡＭＥ−ＢＩビットは第２の値に設定される、請求項１に記載の方法。
【請求項３】
前記第１の値は０であり、前記第２の値は１である、請求項２に記載の方法。
【請求項４】
前記従属ＢＳＳパラメータは前記ＢＳＳＩＤに一意に関連付けられる属性を記述し、前記独立ＢＳＳパラメータはＢＳＳＩＤの群に共通に関連付けられる属性を記述する、請求項１から３のいずれか１項に記載の方法。
【請求項５】
前記応答ＳＴＡは、無線ＡＰの群中の第１の無線アクセスポイント（ＡＰ）であり、前記従属ＢＳＳパラメータは、前記第１の無線ＡＰに関連付けられる属性を記述し、前記独立ＢＳＳパラメータは、無線ＡＰの前記群中の各々の無線ＡＰに共通に関連付けられる属性を記述する、請求項１から４のいずれか１項に記載の方法。
【請求項６】
前記要求ＳＴＡによって、前記応答ＳＴＡからＧＡＳ応答メッセージを受信することをさらに備え、ＡＮＱＰ応答メッセージは前記ＧＡＳ応答メッセージ内にカプセル化され、前記ＡＮＱＰ応答メッセージは前記従属ＢＳＳパラメータと前記独立ＢＳＳパラメータとの両者を識別する、請求項１から５のいずれか１項に記載の方法。
【請求項７】
前記ＡＮＱＰ応答メッセージは、前記従属ＢＳＳパラメータおよび前記独立ＢＳＳパラメータを識別する単一の群のＢＳＳ属性フィールドを備え、
ＢＳＳ属性フィールドの前記群中の各々のＢＳＳ属性フィールドは、前記ＢＳＳ属性フィールドに対応するＢＳＳパラメータが従属ＢＳＳパラメータであるかまたは独立ＢＳＳパラメータであるかを示す個別のＰＡＭＥ−ＢＩビットを含む、請求項６に記載の方法。
【請求項８】
前記ＡＮＱＰ応答メッセージは、前記従属ＢＳＳパラメータを識別する第１の群のＢＳＳ属性フィールドと、前記独立ＢＳＳパラメータを識別する第２の群のＢＳＳ属性フィールドとを備える、請求項６に記載の方法。
【請求項９】
前記要求ＳＴＡによって、前記応答ＳＴＡから第１のＡＮＱＰ応答メッセージを受信することをさらに備え、前記第１のＡＮＱＰ応答メッセージは前記独立ＢＳＳパラメータを識別し、さらに
前記要求ＳＴＡによって、前記応答ＳＴＡから第２のＡＮＱＰ応答メッセージを受信することを備え、前記第２のＡＮＱＰ応答メッセージは前記従属ＢＳＳパラメータを識別し、
前記第１のＡＮＱＰ応答メッセージは、前記第１のＡＮＱＰ応答メッセージが独立ＢＳＳパラメータを識別することを示す第１のＰＡＭＥ−ＢＩフィールドを含み、
前記第２のＡＮＱＰ応答メッセージは、前記第２のＡＮＱＰ応答メッセージが従属ＢＳＳパラメータを識別することを示す第２のＰＡＭＥ−ＢＩフィールドを含む、請求項１から５のいずれか１項に記載の方法。
【請求項１０】
前記第１のＡＮＱＰ応答メッセージおよび前記第２のＡＮＱＰ応答メッセージは同じＧＡＳ応答内にカプセル化されるか、または前記第１のＡＮＱＰ応答メッセージおよび前記第２のＡＮＱＰ応答メッセージは異なるＧＡＳ応答内にカプセル化される、請求項９に記載の方法。
【請求項１１】
要求局（ＳＴＡ）であって、
プロセッサと、
前記プロセッサによる実行のためのプログラミングを格納するコンピュータ読出可能記憶媒体とを備え、前記プログラミングは、
応答ＳＴＡの基本サービスセット（ＢＳＳ）識別子（ＢＳＳＩＤ）を検出する命令と、
アクセスネットワーククエリープロトコル（ＡＮＱＰ）要求とプリアソシエーションメッセージ交換ＢＳＳ識別子（ＢＳＳＩＤ）独立（ＰＡＭＥ−ＢＩ）ビットとを含む包括的アドバタイズメントサービス（ＧＡＳ）要求とを生成する命令とを含み、前記ＡＮＱＰ要求は、前記ＢＳＳＩＤを搬送し、かつ前記応答ＳＴＡの従属ＢＳＳパラメータを問合せるように構成され、前記従属ＢＳＳパラメータに加えて独立ＢＳＳパラメータが問合せされるべき場合、前記ＧＡＳ要求の前記ＰＡＭＥ−ＢＩビットは第１の値に設定され、さらに前記プログラミングは、
前記ＧＡＳ要求を前記応答ＳＴＡに送る命令を含む、要求局（ＳＴＡ）。
【請求項１２】
前記ＡＮＱＰ要求が前記独立ＢＳＳパラメータを問合せることなく前記従属ＢＳＳパラメータを問合せていれば、前記ＰＡＭＥ−ＢＩビットは第２の値に設定される、請求項１１に記載の要求ＳＴＡ。
【請求項１３】
前記プログラミングは、
前記応答ＳＴＡから第１のＡＮＱＰ応答メッセージを受信する命令を含み、前記第１のＡＮＱＰ応答メッセージは前記独立ＢＳＳパラメータを識別し、前記プログラミングは
前記応答ＳＴＡから第２のＡＮＱＰ応答メッセージを受信する命令を含み、前記第２のＡＮＱＰ応答メッセージは前記従属ＢＳＳパラメータを識別し、
前記第１のＡＮＱＰ応答メッセージは、前記第１のＡＮＱＰ応答メッセージが独立ＢＳＳパラメータを識別することを示す第１のＰＡＭＥ−ＢＩフィールドを含み、
前記第２のＡＮＱＰ応答メッセージは、前記第２のＡＮＱＰ応答メッセージが従属ＢＳＳパラメータを識別することを示す第２のＰＡＭＥ−ＢＩフィールドを含む、請求項１１または１２に記載の要求ＳＴＡ。
【請求項１４】
無線ローカルエリアネットワーク（ＷＬＡＮ）ディスカバリーのための方法であって、
要求局（ＳＴＡ）によって、応答ＳＴＡの基本サービスセット（ＢＳＳ）識別子（ＢＳＳＩＤ）を検出することと、
前記要求ＳＴＡによって、前記応答ＳＴＡの従属ＢＳＳＩＤパラメータを問合せるように構成されるアクセスネットワーククエリープロトコル（ＡＮＱＰ）要求を生成することとを備え、前記ＡＮＱＰ要求は、プリアソシエーションメッセージ交換ＢＳＳ識別子（ＢＳＳＩＤ）独立（ＰＡＭＥ−ＢＩ）ビットを含み、前記ＡＮＱＰ要求が前記従属ＢＳＳパラメータに加えて独立ＢＳＳパラメータを問合せていれば、前記ＡＮＱＰ要求の前記ＰＡＭＥ−ＢＩビットは第１の値に設定され、さらに
前記要求ＳＴＡによって前記ＡＮＱＰ要求を前記応答ＳＴＡに送ることとを備える、方法。
【請求項１５】
前記ＡＮＱＰ要求が前記独立ＢＳＳパラメータを問合せることなく前記従属ＢＳＳパラメータを問合せていれば、前記ＡＮＱＰ要求の前記ＰＡＭＥ−ＢＩビットは第２の値に設定される、請求項１４に記載の方法。
【請求項１６】
前記ＡＮＱＰ要求を前記応答ＳＴＡに送ることは、
前記ＡＮＱＰ要求を包括的アドバタイズメントサービス（ＧＡＳ）要求を介して前記応答ＳＴＡに送ることを備える、請求項１４または１５に記載の方法。
【請求項１７】
前記従属ＢＳＳパラメータは、前記ＢＳＳＩＤに一意に関連付けられる属性を記述し、前記独立ＢＳＳパラメータは、ＢＳＳＩＤの群に共通に関連付けられる属性を記述する、請求項１４から１６のいずれか１項に記載の方法。
【請求項１８】
前記応答ＳＴＡは、無線ＡＰの群中の第１の無線アクセスポイント（ＡＰ）であり、前記従属ＢＳＳパラメータは、前記第１の無線ＡＰに特定的に関連付けられる属性を記述し、前記独立ＢＳＳパラメータは、無線ＡＰの前記群中の各々の無線ＡＰに共通に関連付けられる属性を記述する、請求項１４から１６のいずれか１項に記載の方法。
【発明の詳細な説明】
【技術分野】
【０００１】
この出願は、２０１２年１１月６日に出願された、「ＨＥＳＳＩＤおよび関連付けられるクエリー中の共通の属性を与えるためのシステムおよび方法」と題された米国仮出願番号第６１／７２３，２６９号、および２０１３年１１月５日に出願された、「ＨＥＳＳＩＤおよび関連付けられるクエリー中の共通の属性のためのシステムおよび方法」と題された米国非仮出願第１４／０７２，５５１号の利益を主張し、これらはその全体が再現されるかのように本明細書中に引用により援用される。
【０００２】
技術分野
本発明は、無線通信のためのシステムおよび方法に関し、特定的な実施形態では、同種拡張サービスセット識別子（homogeneous extended service set identification; ＨＥＳＳＩＤ）および関連付けられるクエリー中の共通の属性を与えるためのシステムおよび方法に関する。
【背景技術】
【０００３】
背景
移動局（ＳＴＡ）は、無線ローカルエリアネットワーク（ＷＬＡＮ）に接続するためにＷｉ−Ｆｉアクセスポイント（ＡＰ）につながり得る。アタッチメント／アソシエーションの前に、ＳＴＡは、アクセスネットワーククエリープロトコル（Access Network Query Protocol; ＡＮＱＰ）ディスカバリーを通じてＷｉ−Ｆｉ  ＡＰの機能／属性を判断することがある。従来のＡＮＱＰディスカバリー技術は、ＳＴＡが、応答ＡＰに特有のディスカバリー情報を検索できるようにする。しかしながら、今日のＷｉ−Ｆｉホットスポットは、少なくともいくつかの同様の機能／属性を共有する複数のＡＰを含むことがある。これに応じて、ＳＴＡがＷｉ−Ｆｉホットスポット中の複数のＡＰに共通のディスカバリー情報を効率的に判断できるようにするための技術が望まれている。
【発明の概要】
【課題を解決するための手段】
【０００４】
発明の要約
技術的利点は一般的に、同種拡張サービスセット識別子（ＨＥＳＳＩＤ）および関連付けられるクエリー中の共通の属性を与えるためのシステムおよび方法を記載するこの開示の実施形態によって達成される。
実施形態に従うと、無線ローカルエリアネットワーク（ＷＬＡＮ）ディスカバリーのための方法が提供される。この例では、方法は、応答ＳＴＡの基本サービスセット（basic service set; ＢＳＳ）識別子（ＢＳＳＩＤ）を検出することと、応答ＳＴＡの従属ＢＳＳＩＤパラメータを問合せるように構成されるアクセスネットワーククエリープロトコル（ＡＮＱＰ）を生成することと、ＡＮＱＰ要求をプリアソシエーションメッセージ交換ＢＳＳ識別子（ＢＳＳＩＤ）独立（Independent; ＰＡＭＥ−ＢＩ）ビットを含む包括的アドバタイズメントサービス（Generic Advertisement Service; ＧＡＳ）要求にカプセル化することとを含む。方法はさらに、ＡＮＱＰ要求が従属ＢＳＳパラメータに加えて独立ＢＳＳパラメータを問合せていればＧＡＳ要求のＰＡＭＥ−ＢＩビットを第１の値に設定することと、ＧＡＳ要求を応答ＳＴＡに送ることとを含む。この方法を行なうための装置も提供される。
【０００５】
別の実施形態に従うと、無線ローカルエリアネットワーク（ＷＬＡＮ）ディスカバリーのための別の方法が提供される。この例では、方法は、応答ＳＴＡの基本サービスセット（ＢＳＳ）識別子（ＢＳＳＩＤ）を検出することと、応答ＳＴＡの従属ＢＳＳＩＤパラメータを問合せるように構成されるプリアクセスネットワーククエリープロトコル（ＡＮＱＰ）要求を生成することとを含む。ＡＮＱＰ要求は、アソシエーションメッセージ交換ＢＳＳ識別子（ＢＳＳＩＤ）独立（ＰＡＭＥ−ＢＩ）ビットを含む。方法はさらに、ＡＮＱＰ要求が従属ＢＳＳパラメータに加えて独立ＢＳＳパラメータを問合せていればＡＮＱＰ要求のＰＡＭＥ−ＢＩビットを第１の値に設定することと、応答ＳＴＡにＡＮＱＰ要求を送ることとを含む。この方法を行なうための装置も提供される。この方法を行なうための装置も提供される。
【０００６】
本発明およびその利点のより完全な理解のため、添付の図面と関連する以下の説明をここで参照する。
【図面の簡単な説明】
【０００７】
【図１】データを通信するための無線ネットワークの図である。
【図２】従来のＡＮＱＰディスカバリー技術をサポートするためのネットワークアーキテクチャの図である。
【図３】実施形態のＡＮＱＰディスカバリー技術をサポートするためのネットワークアーキテクチャの図である。
【図４】ＡＮＱＰディスカバリーをサポートするためのネットワークアーキテクチャの図である。
【図５】実施形態のＧＡＳディスカバリー手順のプロトコル図である。
【図６】ＧＡＳトランスポートコンテナを用いてＡＮＱＰディスカバリーを行なうための実施形態の方法のフローチャートである。
【図７】ＧＡＳ初期要求フレームボディフォーマットの図である。
【図８】ＧＡＳ初期応答フレームボディフォーマットの図である。
【図９】アドバタイズメントプロトコルエレメントの図である。
【図１０】アドバタイズメントプロトコルタプルフィールドの図である。
【図１１】実施形態のクエリー応答情報フィールドフォーマットの図である。
【図１２】ＡＮＱＰエレメントの表である。
【図１３】実施形態の通信機器のブロック図である。
【図１４】実施形態のコンピューティングプラットフォームのブロック図である。
【発明を実施するための形態】
【０００８】
例示的な実施形態の詳細な説明
異なる図中の対応する数字および符号は一般的に、他にそうでないと示されなければ、対応する部分を参照する。図は実施形態の関連の局面を明確に図示するように描かれており、必ずしも縮尺通りに描かれていない。
【０００９】
今回好ましい実施形態をなすことおよび使うことを以下に詳細に論じる。しかしながら、本発明は、幅広い具体的な文脈で具現化することができる多数の適用可能な発明の概念を提供することを認めるべきである。論じられる具体的な実施形態は、発明をなしかつ使用する具体的なやり方を単に図示するだけであり、発明の範囲を限定するものではない。ＷＬＡＮは、電気電子技術者協会（ＩＥＥＥ）標準８０２．１１−２０１２に従って動作するネットワークである。この標準は、その全体が再現されるかのように本明細書中に引用により援用される。ホットスポット２．０リリース２技術仕様もこの開示に関する情報を含むことがあり、その全体が再現されるかのように本明細書中に引用により援用される。
【００１０】
Ｗｉ−Ｆｉホットスポットで、各々のＷｉ−Ｆｉ  ＡＰは基本サービスセット（ＢＳＳ）識別子（ＢＳＳＩＤ）を割当てられ、これは、とりわけ、ＡＮＱＰディスカバリーの際にＷｉ−Ｆｉ  ＡＰを一意に識別するのに用いられる。従来のＡＮＱＰディスカバリー技術は、単一の候補ＡＰのＢＳＳＩＤに特定的に関連付けられる従属ＢＳＳパラメータを返す。より具体的には、ローミング中のＳＴＡは、候補ＡＰのＢＳＳＩＤを特定するビーコンを検出し、その後、ＢＳＳＩＤを特定するＡＮＱＰクエリーを候補ＡＰに送ってもよい。ＡＮＱＰクエリーは典型的に、移動局認証の前に上位層のアドバタイズメントを移送するのに用いられる包括的なコンテナである包括的アドバタイズメントサービス（ＧＡＳ）要求フレーム内にカプセル化される。ＡＮＱＰクエリーはＡＮＱＰサーバに転送されてもよく、これは、候補ＡＰのＢＳＳＩＤに特定的に関連付けられる従属ＢＳＳパラメータの組を列挙するＡＮＱＰ応答を返してもよい。ＡＮＱＰ応答はＧＡＳ応答メッセージを介してＳＴＡに転送され、これによりＳＴＡに従属ＢＳＳパラメータを通知してもよい。
【００１１】
いくつかのＷｉ−Ｆｉホットスポットは、独立ＢＳＳパラメータと称される共通のＢＳＳパラメータを共有する複数のＡＰを含む。たとえば、２つ以上のＡＰを相互接続して拡張サービスセット（extended service set; ＥＳＳ）を形成してもよく、その結果、同じセキュリティ／ネットワーク機能および／または属性を有してもよい。別の例として、２つ以上の近隣のＡＰが同じネットワークアクセスプロバイダ（network access provider; ＮＡＰ）によって動作されるかまたは同じベンダーによって製造される場合に、それらが１つ以上の共通の属性を共有してもよい。従来のＡＮＱＰは、単一のＢＳＳＩＤに関連付けられる従属ＢＳＳパラメータをＳＴＡが問合せできるようにするが、ＳＴＡが、複数のＡＰに共通の独立ＢＳＳパラメータを具体的に要求／識別して共通のＡＰ属性をより効率的に発見しかつその後のＡＮＱＰディスカバリー交換においてオーバーヘッドを低減するようにはしない。たとえば、先のＡＮＱＰ交換の際に独立ＢＳＳパラメータを学習するＳＴＡは、その後のＡＮＱＰ交換において、より少ない数のＢＳＳパラメータを問合せるか、またはそうでない場合、（たとえば近隣のＡＰが独立ＢＳＳパラメータの一覧に含まれるかまたはそれから排除されるＢＳＳパラメータを有することを検証することにのみＳＴＡが関わる場合、１つ以上のその後のＡＮＱＰ交換を全く回避することができてもよい。これに応じて、ＡＮＱＰディスカバリーの際に独立ＢＳＳパラメータを問合せるためのメカニズムが望まれる。
【００１２】
この開示の局面は、ＡＮＱＰクエリーを移送するのに用いられるＧＡＳ要求メッセージのプリアソシエーションメッセージ交換ＢＳＳＩＤ独立（ＰＡＭＥ−ＢＩ）ビットを設定することによって、要求ＳＴＡが独立ＢＳＳパラメータを問合せられるようにする。より具体的には、要求ＳＴＡは、ＧＡＳ要求メッセージ中のＰＡＭＥ−ＢＩビットを第１の値（たとえば０）に設定して、付随するＡＮＱＰクエリーが独立ＢＳＳパラメータと従属ＢＳＳパラメータとの両方を要求していると示してもよい。これに代えて、ＰＡＭＥ−ＢＩビットを第２の値（たとえば１）に設定して、ＡＮＱＰクエリーが従属ＢＳＳパラメータのみを要求していることを示すことができる。いくつかの実施形態では、ＰＡＭＥ−ＢＩビットは、ＧＡＳ要求メッセージよりもむしろ、ＡＮＱＰクエリー中のフィールドとして含まれる。この開示の局面は、移動局認証／アソシエーションの後に発生するＡＮＱＰ／ＧＡＳ手順に等しく適用可能であってもよい。これらおよび他の局面を以下により詳細に記載する。
【００１３】
図１はデータを通信するためのネットワーク１００を図示する。ネットワーク１００は、通信範囲１１２を有するアクセスポイント（ＡＰ）１１０と、複数の局（ＳＴＡ）１２０と、バックホールネットワーク１３０とを備える。ＡＰ１１０はとりわけ、基地局、発展型基地局（ｅＮＢ）、フェムトセル、および他の無線通信対応機器などのＳＴＡ１２０とのアップリンク（破線）および／またはダウンリンク（点線）接続を確立することによって無線アクセスを提供することができる任意の構成要素を備えてもよい。ＳＴＡ１２０は、ＡＰ１１０との無線接続を確立することができる任意の構成要素を備えてもよい。バックホールネットワーク１３０は、データがＡＰ１１０と遠隔側（図示せず）との間で交換されるようにする任意の構成要素または構成要素の集合であってもよい。いくつかの実施形態では、ネットワーク１００は、リレー、フェムトセルなどのさまざまな他の無線機器を備えてもよい。
【００１４】
ＳＴＡは、Ｗｉ−Ｆｉホットスポットまたは通信範囲にローミングすると、ＡＮＱＰディスカバリーを行なってもよい。図２は、通信範囲２０２中で無線アクセスを提供するように構成されるＡＰ２１０−２３０を備えるネットワーク２００を図示する。ＡＰ２１０、２２０、２３０は、ＢＳＳＩＤ＿１、ＢＳＳＩＤ＿２、およびＢＳＳＩＤ＿３を割当てられる。ＡＰ２１０、２２０、２３０は、少なくともいくつかの共通の属性／機能を共有し、その結果、１つ以上の独立ＢＳＳパラメータがＢＳＳＩＤ＿１、ＢＳＳＩＤ＿２、およびＢＳＳＩＤ＿３とまとめて関連付けられてもよい。さらに、従属ＢＳＳパラメータの一意のセットがＢＳＳＩＤ＿１、ＢＳＳＩＤ＿２、およびＢＳＳＩＤ＿３の各々と関連付けられる。
【００１５】
ＳＴＡ２４０は従来のＡＮＱＰディスカバリーを行なうように構成され、したがって、それらのそれぞれの従属ＢＳＳパラメータを判断するためには、ＡＰ２１０、２２０、２３０の各々と（それぞれ）別個のＡＮＱＰディスカバリー交換２１５、２２５、２３５を実行しなければならない。ＡＰ２１０−２３０が多数の独立ＢＳＳパラメータを共有する状況では、複数のＡＮＱＰディスカバリー交換を行なうことは、重複になるおよび／または不要であることがある。
【００１６】
この開示の局面は、ＧＡＳ要求メッセージのＰＡＭＥ−ＢＩビットを設定することによってＳＴＡが独立ＢＳＳを発見できるようにする実施形態のＡＮＱＰディスカバリー技術を提供する。注目すべきことに、これは、要求ＳＴＡが、単一のＡＮＱＰディスカバリー交換を用いて、複数のＡＰが共有する属性／機能を発見できるようにし得る。独立ＢＳＳパラメータは従属ＢＳＳパラメータとは別個のものであってもよい。たとえば、従属ＢＳＳパラメータは、特定的なＢＳＳＩＤに関連付けられるが他のＢＳＳＩＤには関連付けられないそれらの属性を記述してもよい。これに代えて、独立ＢＳＳパラメータは、ＢＳＳ従属パラメータのサブセットが複数のＢＳＳについて同じ値を有するという意味で、従属ＢＳＳパラメータのサブセットであってもよい。たとえば、従属ＢＳＳ属性のセットは所与のＢＳＳＩＤに関連付けられるすべての属性を規定してもよく、独立ＢＳＳ属性は、従属ＢＳＳ属性のうちのどれが群中のすべてのＢＳＳＩＤに共通に関連付けられるかを示してもよい。
【００１７】
図３は、通信範囲３０２にローミングするとＳＴＡ３４０が実施形態のＡＮＱＰディスカバリー技術を行なうように構成されるネットワーク３００を図示する。示されるように、ネットワーク３００は、通信範囲３０２中で無線アクセスを提供するように構成されるＡＰ３１０−３３０を含む。ＡＰ３１０、３２０、３３０はそれぞれＢＳＳＩＤ＿１、ＢＳＳＩＤ＿２、およびＢＳＳＩＤ＿３を割当てられる。ＡＰ３１０、３２０、３３０は少なくともいくつかの共通の属性／機能を共有し、その結果、ＢＳＳＩＤ＿１、ＢＳＳＩＤ＿２、およびＢＳＳＩＤ＿３は、それらの共通の属性／機能を記述する１つ以上の独立ＢＳＳパラメータとまとめて関連付けられる。
【００１８】
ＳＴＡ３４０は、実施形態のＡＮＱＰディスカバリー交換３４５を行なって、ＡＰ３１０、３２０、３３０間で共有される共通の属性／機能を記述する独立ＢＳＳパラメータを入手するように構成される。ＡＮＱＰディスカバリー交換３４５は、ＧＡＳ初期要求メッセージ内にＢＳＳＩＤ＿２を特定するＡＮＱＰクエリーをカプセル化することによって達成される。ＧＡＳメッセージのＰＡＭＥ−ＢＩビットは、付随のＡＮＱＰクエリーが従属ＢＳＳパラメータに加えて独立ＢＳＳパラメータを要求していることを示すように、ある値（たとえば０）に設定される。ＡＰ３２０はＡＮＱＰクエリーをＡＮＱＰサーバ３０５に中継し、これは、ＡＮＱＰ応答メッセージ中の従属ＢＳＳパラメータおよび独立ＢＳＳパラメータを与える。ＡＮＱＰ応答メッセージはＧＡＳ応答メッセージを介して要求ＳＴＡ３４０に転送される。
【００１９】
図４は、アクセスネットワーククエリープロトコル（ＡＮＱＰ）動作を行なうためのネットワークアーキテクチャ４００を図示する。示されるように、Ｗｉ−Ｆｉネットワークに接続したいＳＴＡは、とりわけ、ビーコンを検出するおよび／またはプローブ要求／応答メッセージを交換することによって、利用可能なＷｉ−Ｆｉ  ＡＰを求めて区域をスキャンしてもよい。一旦識別されると、ＳＴＡおよびＷｉ−Ｆｉ  ＡＰは、ＳＴＡがＷｉ−Ｆｉ  ＡＰの異なる特徴を発見し得るように、ＡＮＱＰクエリー要求および応答を交換してもよい。本明細書中で論じるように、ＳＴＡは、セルラー式電話、ラップトップ、タブレット、スマートセンサ、携帯型または家庭用電子機器、および他のユーザ機器などの任意の無線対応機器を含んでもよい。ＳＴＡは、Ｗｉ−ＦｉネットワークにアクセスするためのＷｉ−Ｆｉインターフェイスおよびセルラーネットワークなどの他の種類の通信ネットワークと対話するための他のインターフェイスを備えてもよい。アクセスポイント（ＡＰ）および１つ以上のＳＴＡは、ＩＥＥＥ８０２．１１無線ローカルエリアネットワーク（ＷＬＡＮ）の基本構築ブロックである基本サービスセット（ＢＳＳ）を形成することができる。ＡＰは、ＡＰと一所に置くことができるまたは一所に置くことができないＡＰコントローラまたはＡＮＱＰサーバと通信してもよい。ＢＳＳは一般的に、ＡＰによって構成されるかまたは同報されてもよいサービスセット識別子（ＳＳＩＤ）によって識別されることができる。ＢＳＳは、ＡＰのＭＡＣアドレスであるＢＳＳＩＤによっても識別される。ＳＳＩＤはいくつかのＢＳＳによって共有されることができるが、ＢＳＳＩＤはＢＳＳについて一意である。
【００２０】
図５は、要求ＳＴＡ５１０と、応答ＳＴＡ５２０と、ＡＮＱＰサーバ５３０との間での、実施形態のＧＡＳメッセージ交換５００を示す。示されるように、要求ＳＴＡは、ＧＡＳ初期要求を応答ＳＴＡ５２０に送る。ＧＡＳ初期要求は、ＡＮＱＰクエリーが独立を要求しているか否かを示し得るＢＳＳＩＤおよびＰＡＭ−ＢＩビットを特定するＡＮＱＰクエリーを含んでもよい。ＡＮＱＰクエリーは、別の移送プロトコルを介して応答ＳＴＡ５２０からＡＮＱＰサーバ５３０へ転送されてもよい。ＡＮＱＰサーバ５３０は、ＡＮＱＰクエリーによって特定されるＢＳＳＩＤに関連付けられる従属ＢＳＳパラメータを列挙するＡＮＱＰ応答メッセージで応答してもよい。ＰＡＭ−ＢＩビットが独立ＢＳＳパラメータが問合せられていることを示す場合、ＡＮＱＰ応答メッセージは独立ＢＳＳパラメータも含んでもよい。ＡＮＱＰ応答は、ＧＡＳ応答メッセージを用いて、応答ＳＴＡ５２０から要求ＳＴＡ５１０へ中継されてもよい。
【００２１】
図６は、要求ＳＴＡによって行なわれ得るようなＢＳＳパラメータを問合せるための方法６００を示す。示されるように、方法６００はステップ６１０で開始し、ここで、要求ＳＴＡは、Ｗｉ−Ｆｉ  ＡＰに割当てられるＢＳＳＩＤ（ＢＳＳＩＤ＿１）を搬送するビーコンを検出する。次に、方法６００はステップ６２０に進み、ここで、要求ＳＴＡは、ＢＳＳＩＤ＿１と関連付けられる従属ＢＳＳパラメータを要求するために、ＢＳＳＩＤ＿１を特定するＡＮＱＰクエリーを生成する。その後、方法６００はステップ６３０に進み、ここで、要求ＳＴＡは、ＡＮＱＰクエリーをＧＡＳ要求メッセージ内にカプセル化する。その後、方法６００はステップ６４０に進み、ここで、要求ＳＴＡは独立ＢＳＳパラメータを問合せるか否かを選択する。ＳＴＡが独立ＢＳＳパラメータを問合せることを選択しなければ、方法６００はステップ６５０に進み、ここで、ＳＴＡはＧＡＳ要求メッセージのＰＡＭＥ−ＢＩビットを０に設定する。これに代えて、ＳＴＡが独立ＢＳＳパラメータを問合せると決めると、方法６００はステップ６５５に進み、ここでＳＴＡは、ＧＡＳ要求メッセージのＰＡＭＥ−ＢＩビットを１に設定する。この例では、ＰＡＭＥ−ＢＩは０または１に設定されるとして説明するが、ＰＡＭＥ−ＢＩビットを任意の値に設定して独立ＢＳＳパラメータが要求されているか否かを示すことができる。ステップ６５０またはステップ６５５に続いて、方法はステップ６６０に進み、ここで、要求ＳＴＡはＧＡＳ要求メッセージを応答ＳＴＡに通信する。
【００２２】
電気電子技術者協会（ＩＥＥＥ）８０２．１１標準文書８０２．１１ＲＥＶｍｂ  Ｄ１２．０にはいくつかの従属および独立ＢＳＳ属性／パラメータが記載されており、これはその全体が再現されるかのように本明細書中に引用により援用される。プリアソシエーションメッセージ交換ＢＳＳＩＤ独立（ＰＡＭＥ−ＢＩ）ビットは伝統的に、このアドバタイズメントプロトコルのための非ＡＰ局のピアであるアドバタイズメントサーバが、包括的アドバタイズメントサービス（ＧＡＳ）フレーム交換のために用いられるＢＳＳＩＤから独立しているクエリー応答を返すか否かを示すように、アクセスポイント（ＡＰ）によって用いられる。しかしながら、実際のクエリーは、「このＢＳＳＩＤについての共通の属性のみを返して下さい」などの自由形式のクエリー作成を許容しない。この開示の局面は、移動体機器関連付けの前に独立ＢＳＳパラメータが問合せられるのを許容するようにＰＡＭＥ−ＢＩビットの使用を拡張する。ＧＡＳは、パラメータdot11InterworkingServiceActivatedが真に設定されると、局（ＳＴＡ）のためのネットワーク選択を可能にするように用いられてもよい。ＧＡＳは、アドバタイズメントサービスのための移送メカニズムを提供する一方で、ＳＴＡは、関連付けられていない状態および関連付けられた状態にある。これは、クラス１フレームであるパブリックアクション管理フレームの使用を介して達成される。ＧＡＳメッセージは、個別にアドレス指定されるパブリックアクションフレームを用いて送信される。ＧＡＳメッセージ交換は２つのＳＴＡ同士の間で行なわれてもよく、この場合、一方のＳＴＡがＧＡＳクエリー要求を送信し、他方のＳＴＡがＧＡＳクエリー応答を送信する。ＳＴＡは、移動体機器、ＡＰ、またはＷｉ−Ｆｉネットワークで無線通信する任意の他の機器であることがある。
【００２３】
ＧＡＳ初期要求フレームはパブリックアクションフレームである。これは、要求ＳＴＡによって送信されて、別のＳＴＡから情報を要求する。図７は、ＧＡＳ初期要求フレームボディフォーマットを示す。ＧＡＳ初期応答フレームはパブリックアクションフレームである。これは、ＧＡＳ初期要求フレームに応答するＳＴＡによって送信される。図８は、ＧＡＳ初期応答フレームボディフォーマットを示す。アドバタイズメントプロトコルエレメントは、特定のアドバタイズメントプロトコルおよびその対応のアドバタイズメント制御を識別する情報を含有する。図９は、エレメントＩＤフィールド、長さフィールド、および１つ以上のアドバタイズメントプロトコルタプルフィールドを含むアドバタイズメントプロトコルエレメントフォーマットを示す。図１０は、クエリー応答情報フィールドおよびアドバタイズメントプロトコルＩＤフィールドを含むアドバタイズメントプロトコルタプルフィールドフォーマットを示す。
【００２４】
図１１は、クエリー応答長さ限界フィールドおよびＰＡＭＥ−ＢＩフィールドを含むクエリー応答情報フィールドフォーマットを示す。ＰＡＭＥ−ＢＩフィールドは、独立ＢＳＳパラメータが問合せられているか否かに依存して、０または１に設定されてもよい。プリアソシエーションメッセージ交換ＢＳＳＩＤ独立（ＰＡＭＥ−ＢＩ）ビットは、ＡＰによって用いられて、このアドバタイズメントプロトコルのための非ＡＰ  ＳＴＡのピアであるアドバタイズメントサーバがＧＡＳフレーム交換のために用いられるＢＳＳＩＤとは独立したクエリー応答を返すか否かを示す。クエリー応答がＢＳＳＩＤとは独立していることを示すように、このビットは１に設定される。クエリー応答がＢＳＳＩＤに従属しているかもしれないことを示すように、これは０に設定される。アドバタイズメントプロトコルＩＤフィールドは、ＧＡＳメッセージがＡＮＱＰクエリー／応答を搬送することを示すように、０に設定されてもよい。図１２は、ＡＮＱＰ要求メッセージプロトコルを用いて問合せられ得るＡＮＱＰエレメントの表を示す。ＡＮＱＰクエリー要求は、ＡＮＱＰエレメント種類Ｓを有するＡＮＱＰエレメント情報ＩＤを備えるクエリー一覧ＡＮＱＰエレメントを用いてもよい。ＡＮＱＰクエリー要求は、ＧＡＳ要求フレームのクエリー要求フィールド中で移送される。ＡＮＱＰクエリー応答はＧＡＳ応答フレームのクエリー応答フィールド中で移送される。
【００２５】
この開示は、同種拡張サービスセット識別子（ＨＥＳＳＩＤ）中の共通のＡＮＱＰ属性を示す新規の方法、および共通の属性を要求するクエリー方法を提案する。新しい種類のクエリーが提案され、ここでは、クエリーの送信元は、送信元が従属基本サービスセット（ＢＳＳ）パラメータのみ、または従属ＢＳＳパラメータと独立ＢＳＳパラメータとの両方を問合せたいかどうかを特定する。提案されるクエリー要求フォーマットは、０に設定されるアドバタイズメントプロトコルＩＤおよび独立ＢＳＳパラメータが望まれるか否かに依存して０または１に設定されるＰＡＭＥ−ＢＩビットを有するアドバタイズメントプロトコルエレメント（たとえばコード３）を有する初期ＧＡＳ要求である。独立パラメータが望まれているとＰＡＭＥ−ＢＩが示す場合、応答ＳＴＡ（たとえばＡＰ）は、ＡＮＱＰサーバに、従属ＢＳＳパラメータに加えて独立ＢＳＳパラメータが問合せられていると通知する。この通知はさまざまなやり方で実行することができる。たとえば、応答ＳＴＡは、たとえばＡＮＱＰクエリーなどにＰＡＭＥ−ＢＩビットを添付するまたは埋込むなど、ＡＮＱＰクエリーをＡＮＱＰサーバに転送する前にＡＮＱＰクエリーを修正してもよい。これに代えて、応答ＳＴＡは、応答ＳＴＡからＡＮＱＰサーバにＡＮＱＰクエリーを移送するのに用いられる優先プロトコルメッセージ中に指示を含んでもよい。またさらなる代替例では、ＰＡＭＥ−ＢＩビットは、ＡＮＱＰクエリーがＧＡＳメッセージ内にカプセル化される前に、要求サーバによってＡＮＱＰクエリーの中に埋込まれてもよい。
【００２６】
要求ＳＴＡは、独立ＢＳＳパラメータがＡＮＱＰ／ＧＡＳ交換を介して入手される場合に、他のＡＰに対するその後のクエリーを調整して、これによりそれらのその後のクエリーのオーバーヘッドを低減してもよい。ある実施形態では、ＢＳＳＩＤ従属パラメータおよび独立パラメータはＡＮＱＰサーバ中に位置する。サーバ記録は各々のＡＮＱＰ属性ごとに付加的な情報を保持して、属性がＢＳＳＩＤに従属しているか否かを特定する。サーバは、各々の属性についての付加的な情報を保持し、別個のデータ構造中に情報を格納することによって、または他の方法によって、ＢＳＳ独立属性からＢＳＳ従属属性を区別する。ＢＳＳＩＤ独立か否かに基づくフィルタリング値は、ＧＡＳ要求フォーマットおよびＢＳＳＩＤ値に基づいてＡＮＱＰサーバレベルで行なわれてもよい。
【００２７】
従属ＢＳＳ属性および独立ＢＳＳ属性をさまざまなやり方で互いから区別することができる。１つの例では、従属ＢＳＳ属性および独立ＢＳＳ属性を単一の群の属性フィールド中に列挙し、各々の属性フィールドは、対応のＢＳＳ属性が独立かまたは従属かを特定する指標（たとえばＰＡＭＥ−ＢＩ指標またはそれ以外）を有する。これに代えて、従属ＢＳＳ属性を第１の群の属性フィールド中に列挙して、独立ＢＳＳ属性を第２の群の属性フィールド中に列挙する。第１および第２の群の属性フィールドは、指標ビット（たとえばＰＡＭ−ＢＩビットまたはそれ以外）を用いて差別化されてもよい。またさらなる代替例では、従属ＢＳＳ属性が対応のＡＰによって与えられてもよく、独立ＢＳＳ属性がＡＮＱＰサーバによって与えられてもよい。その場合、ＡＰは、それら自身の従属ＢＳＳ属性のみを与えてもよい。従属ＢＳＳ属性はＡＰ中にローカルにまたはＡＮＱＰサーバ中に遠隔に格納されてもよい。ＡＮＱＰが複数のＢＳＳＩＤについての属性を格納する場合、ＡＮＱＰは各々のＢＳＳＩＤ毎に新しいエントリを作成してもよい。ＡＰが要求をＡＮＱＰサーバに転送する場合、ＡＮＱＰサーバはＡＰアドレスをＢＳＳＩＤに一致させ、次に対応の属性を対応のＡＰに返す。ＡＮＱＰ記録中のＡＰについてのＢＳＳＩＤエントリはオペレータによって手作業で特定されてもよく、またはＡＮＱＰ記録の初期化の際にＡＰによって動的に更新されてもよい。またさらなる代替例では、従属ＢＳＳ属性および独立ＢＳＳ属性を別個のＡＮＱＰ応答メッセージ中に与えてもよい。メッセージは、メッセージが独立ＢＳＳパラメータまたは従属ＢＳＳパラメータを搬送するか否かを示すように、異なるＰＡＭＥ−ＢＩ指標値を有してもよい。別の実施形態では、複数のＡＮＱＰサーバがＡＰ場所で分散されてもよい。そのような実施形態では、ＡＮＱＰサーバは、分散された態様で独立／従属ＢＳＳパラメータを通信および／または管理してもよい。一例として、分散されたＡＮＱＰサーバは、どのＢＳＳパラメータが従属／独立であるかをまとめて判断してもよい。たとえば、第１のＡＰにある分散ＡＮＱＰサーバは、独立ＢＳＳパラメータを従属ＢＳＳパラメータに変更すべきであると決めてもよく、第１のＡＰと同じ同種拡張サービスセット（ＨＥＳＳ）中のＡＰに位置する他のＡＮＱＰサーバに知らせてもよい。いくつかの実施形態では、独立ＢＳＳパラメータおよび／または従属ＢＳＳパラメータのセットは寿命の持続時間と関連付けられてもよく、その場合、ＳＴＡは、（たとえばＡＮＱＰプロトコルを介して識別される）残余の寿命を利用して、更新されたＢＳＳパラメータをいつ問合せるかを判断してもよい。
【００２８】
図１３は、以上で論じた１つ以上の機器（たとえばＵＥ、ＮＢなど）と均等であり得る通信機器１３００の実施形態のブロック図を示す。通信機器１３００は、プロセッサ１３０４、メモリ１３０６、セルラーインターフェイス１３１０、補助インターフェイス１３１２、およびバックホールインターフェイス１３１４を含んでもよく、これらは、図１３に示されるように配置されてもよい（配置されなくてもよい）。プロセッサ１３０４は、計算および／または他の処理関連タスクを行なうことができる任意の構成要素であってもよく、メモリ１３０６は、プロセッサ１３０４のためのプログラミングおよび／または命令を格納することができる任意の構成要素であってもよい。セルラーインターフェイス１３１０は、通信機器１３００がセルラー信号を用いて通信できるようにする任意の構成要素または構成要素の集合であってもよく、セルラーネットワークのセル方式接続によって情報を受信および／または送信するのに用いられてもよい。補助インターフェイス１３１２は、通信機器１３００が補助プロトコルを介してデータを通信するまたは情報を制御することができるようにする任意の構成要素または構成要素の集合であってもよい。たとえば、補助インターフェイス１３１２は、ワイヤレスフィデリティ（Ｗｉ−Ｆｉ）またはブルートゥース（登録商標）プロトコルに従って通信するための非セルラー式無線インターフェイスであってもよい。これに代えて、補助インターフェイス１３１２は有線インターフェイスであってもよい。バックホールインターフェイス１３１４はオプションで通信機器１３００に含まれてもよく、通信機器１３００がバックホールネットワークを介して別の機器と通信できるようにする任意の構成要素または構成要素の集合を備えてもよい。
【００２９】
図１４は、本明細書中に開示される機器および方法を実現するために用いてもよい処理システムのブロック図である。具体的な機器は、示される構成要素のすべてまたは構成要素のサブセットのみを利用してもよく、集積のレベルは機器によって異なってもよい。さらに、機器は、複数の処理ユニット、プロセッサ、メモリ、送信機、受信機などの構成要素の複数のインスタンスを内蔵してもよい。処理システムは、スピーカ、マイクロホン、マウス、タッチスクリーン、キーパッド、キーボード、プリンタ、ディスプレイなどの１つ以上の入力／出力機器を装備した処理ユニットを備えてもよい。処理ユニットは、バスに接続される、中央処理装置（ＣＰＵ）、メモリ、大容量記憶装置、ビデオアダプタ、およびＩ／Ｏインターフェイスを含んでもよい。
【００３０】
バスは、メモリバスまたはメモリコントローラ、周辺バス、ビデオバスなどを含む任意の種類のいくつかのバスアーキテクチャの１つ以上であってもよい。ＣＰＵは任意の種類の電子データプロセッサを備えてもよい。メモリは、スタティックランダムアクセスメモリ（ＳＲＡＭ）、ダイナミックランダムアクセスメモリ（ＤＲＡＭ）、同期ＤＲＡＭ（ＳＤＲＡＭ）、読出専用メモリ（ＲＯＭ）、その組合せなどの任意の種類のシステムメモリを備えてもよい。ある実施形態では、メモリは、起動の際に用いるためのＲＯＭ、ならびにプログラムを実行しながら用いるためのプログラムおよびデータ格納のためのＤＲＡＭを含んでもよい。
【００３１】
大容量記憶装置は、データ、プログラム、および他の情報を格納しかつデータ、プログラム、および他の情報をバスを介してアクセス可能にするように構成される任意の種類の記憶装置を備えてもよい。大容量記憶装置は、たとえば、固体状態ドライブ、ハードディスクドライブ、磁気ディスクドライブ、光学ディスクドライブなどのうち１つ以上を備えてもよい。
【００３２】
ビデオアダプタおよびＩ／Ｏインターフェイスは、外部入力および出力機器を処理ユニットに結合するインターフェイスを提供する。図示されるように、入力および出力機器の例は、ビデオアダプタに結合されるディスプレイおよびＩ／Ｏインターフェイスに結合されるマウス／キーボード／プリンタを含む。他の機器が処理ユニットに結合されてもよく、付加的なまたはより少ない数のインターフェイスカードを利用してもよい。たとえば、シリアルインターフェイスカード（図示せず）を用いてプリンタ用のシリアルインターフェイスを設けてもよい。
【００３３】
処理ユニットは、イーサネット（登録商標）ケーブルなどの有線リンクおよび／またはノードもしくは異なるネットワークにアクセスする無線リンクを備え得る１つ以上のネットワークインターフェイスも含む。ネットワークインターフェイスは、処理ユニットがネットワークを介して遠隔ユニットと通信できるようにする。たとえば、ネットワークインターフェイスは、１つ以上の送信機／送信アンテナおよび１つ以上の受信機／受信アンテナを介して無線通信を提供してもよい。ある実施形態では、処理ユニットは、他の処理ユニット、インターネット、遠隔記憶設備などの遠隔の機器との通信およびデータ処理のためのローカルエリアネットワークまたはワイドエリアネットワークに結合される。
【００３４】
説明を詳細に記載したが、添付の請求項が規定するようなこの開示の精神および範囲から逸脱することなく、さまざまな変更、置換、および修正を行なってもよいことを理解すべきである。さらに、開示の範囲が本明細書中に記載される特定の実施形態に限定されることを意図しない。というのも、当業者は、現存するまたは後で開発されるプロセス、機械、製造、物質の組成、手段、方法、またはステップが、本明細書中に記載される対応の実施形態と実質的に同じ機能を果たすまたは実質的に同じ結果を達成し得ることをこの開示から容易に認めるであろうからである。これに応じて、添付の請求項は、それらの範囲内に、そのようなプロセス、機械、製造、物質の組成、手段、方法、またはステップを含むことが意図される。
【図１】
0006055107.tif 000002
【図２】
0006055107.tif 000003
【図３】
0006055107.tif 000004
【図４】
0006055107.tif 000005
【図５】
0006055107.tif 000006
【図６】
0006055107.tif 000007
【図７】
0006055107.tif 000008
【図８】
0006055107.tif 000009
【図９】
0006055107.tif 000010
【図１０】
0006055107.tif 000011
【図１１】
0006055107.tif 000012
【図１２】
0006055107.tif 000013
【図１３】
0006055107.tif 000014
【図１４】
0006055107.tif 000015